(57)【要約】【課題】鉄筋コンクリート構造物等を切断するときの水の使用量を少なくしてヘドロ水が出ないようにし、これにより環境汚染を少なくし、水処理を不要にすると共に、ヘドロ水飛散防止のための養生作業を不要にし、かつヘドロ水による機器の汚れや電気系統の故障などのトラブルを少なくする。【解決手段】鉄筋コンクリート構造物等１に掛けられるダイヤモンドワイヤー９を覆うカバー４を取付け、切り口をシールして粉塵が外部に放出されないようにする。出側の切り口には、フード１１が取付けられ、フード１１にダクト１２を介して接続されるバキュームクリーナにより、切り口より放出される粉塵を吸引回収する。出側のダイヤモンドワイヤー９には、ノズル１３から冷却水が噴霧され、冷却される。  【選択図】図２
2005047114.tif 000002
【特許請求の範囲】
【請求項１】
鉄筋コンクリート構造物等に掛け渡した切削用ケーブルを循環駆動させて鉄筋コンクリート構造物等を切断する方法において、切削用ケーブルによって切削される鉄筋コンクリート構造物等の切り口をシール手段で覆ってシールした状態で切削用ケーブルが鉄筋コンクリート構造物等より出る箇所の切り口より放出される粉塵をバキューム手段により吸引除去すると共に、鉄筋コンクリート構造物等と接しない箇所で冷却媒体を切削用ケーブルに噴射または噴霧して冷却することを特徴とする鉄筋コンクリート構造物等の切断方法。
【請求項２】
鉄筋コンクリート構造物等に取外し可能に止着される取付台と、該取付台より突設され、ラックを添設したメインポールと、モータ、該モータによって回転駆動されるメインプーリ及び上記ラックに噛合するピニオンを有し、メインポールに移動可能に装着されて、ピニオンの回転駆動によりメインポールに沿って移動する自走台と、メインポール及び若しくは鉄筋コンクリート構造物等に支持ないし取着される複数のガイドプーリと、メインプーリと鉄筋コンクリート構造物等との間にガイドプーリを経由して掛け渡される切削用ケーブルとよりなる鉄筋コンクリート構造物等の切断装置において、切削用ケーブルによって切削される鉄筋コンクリート構造物等の切り口を覆ってシールするシール手段と、切削用ケーブルが鉄筋コンクリート構造物等より出る箇所の切り口より放出される粉塵を吸引除去するバキューム手段と、鉄筋コンクリート構造物等と接しない箇所で切削用ケーブルに冷却媒体を噴射または噴霧する手段からなることを特徴とする鉄筋コンクリート構造物等の切断装置。
【請求項３】
シール手段が柔らかな材質のカバーであることを特徴とする請求項２記載の鉄筋コンクリート構造物等の切断装置。
【発明の詳細な説明】
【技術分野】
【０００１】
本発明は、ワイヤーソーイングによりコンクリートや鉄筋コンクリート造り、或いはレンガやコンクリートブロック造り等の構造物（以下、単に「鉄筋コンクリート構造物等」という）を切断する方法及び装置に関する。
【背景技術】
【０００２】
図１は、ワイヤーソーイングによる切断装置について示すもので、鉄筋コンクリート構造物等１にアンカーボルト等により取外し可能に止着される取付台２と、該取付台２より突設され、ラック３を添設したメインポール４と、モータにより回転駆動されるメインプーリ５及び上記ラック３に噛合して転動するピニオンを備え、メインポール４に移動可能に装着される自走台６と、メインポール４に直交して固定されるガイドバー７と、ガイドバー７に取外し可能に止着され、それぞれが同一平面上に位置する複数のガイドプーリ８ａ、８ｂ、８ｃ、８ｄと、鉄筋コンクリート構造物等１とメインプーリ５との間にガイドプーリ８ａ、８ｂ、８ｃ、８ｄを介して掛け渡されるダイヤモンドワイヤー９よりなり、鉄筋コンクリート構造物等１の切削時には、メインプーリ５を回転駆動して鉄筋コンクリート構造物等１に掛けられるダイヤモンドワイヤー９を牽引し、これにより鉄筋コンクリート構造物等１をワイヤーソーイングしながら自走台６を後退させて切断の進行に伴って発生するワイヤー９の弛みを吸収するようになっている。
【０００３】
こうしたワイヤーソーイング時には、従来、図１に示すように入側と出側のダイヤモンドワイヤー９と鉄筋コンクリート構造物等１が接する箇所に図示するように給水しながら切削を行っている。
【特許文献１】特開昭６４−１４４７３号
【発明の開示】
【発明が解決しようとする課題】
【０００４】
切削時の給水には、多量の水が必要で、水道水の設備がない場合には、多量の水を運び込む必要があること、使用した水がヘドロ水となって、その回収及び処理に多大な手間がかかること、給水した水が周囲に飛散しないようにシートで覆う等の養生作業が必要であること、等の問題があった。
【０００５】
本発明は、上記の問題を解消することを目的としてなされたもので、鉄筋コンクリート構造物等に水を掛けないでワイヤーソーイングを行うための方法及び装置を提供しようとするものである。
【課題を解決するための手段】
【０００６】
請求項１に係わる発明は、鉄筋コンクリート構造物等に掛け渡した切削用ケーブルを循環駆動させて鉄筋コンクリート構造物等を切断する方法において、切削用ケーブルによって切削される鉄筋コンクリート構造物等の切り口をシール手段で覆ってシールした状態で切削用ケーブルが鉄筋コンクリート構造物等より出る箇所の切り口より放出される粉塵をバキューム手段により吸引除去すると共に、鉄筋コンクリート構造物等と接しない箇所で切削用ケーブルに液体チッソなどの気化ガスを噴射して冷却するまたはミスト手段による冷却水などを噴霧して冷却することを特徴とし、
請求項２に係わる発明は、上記方法を実施するための装置に関するもので、鉄筋コンクリート構造物等に取外し可能に止着される取付台と、該取付台より突設され、ラックを添設したメインポールと、モータ、該モータによって回転駆動されるメインプーリ及び上記ラックに噛合するピニオンを有し、メインポールに移動可能に装着されて、ピニオンの回転駆動によりメインポールに沿って移動する自走台と、メインポール及び若しくは鉄筋コンクリート構造物等に支持ないし取着される複数のガイドプーリと、メインプーリと鉄筋コンクリート構造物等との間にガイドプーリを経由して掛け渡される切削用ケーブルとよりなる鉄筋コンクリート構造物等の切断装置において、切削用ケーブルによって切削される鉄筋コンクリート構造物等の切り口を覆ってシールするシール手段と、切削用ケーブルが鉄筋コンクリート構造物等より出る箇所の切り口より放出される粉塵を吸引除去するバキューム手段と、鉄筋コンクリート構造物等と接しない箇所で切削用ケーブルに液体チッソなどの気化ガスを噴射する手段または冷却水を噴霧するミスト手段などからなることを特徴とする。
【０００７】
上記各発明で用いる切削用ケーブルとしては、通常、従来のものと同様、ダイヤモンドワイヤーが用いられる。
【０００８】
シール手段は、切り口を覆って粉塵が出ないようにするものであればよく、特に制限はない。こうしたものとしては、例えば金属や樹脂、ゴム製等の樋、樹脂やゴム、布製等のシート等を例示することができるが、なかでも鉄筋コンクリート構造物等の形状に馴染み易い材質、例えばスポンジやゴム等が望ましい。
【０００９】
また、バキューム手段も真空を発生させる装置であればよく、特に制限はない。こうしたものの一つにバキュームクリーナ（産業用掃除機）が挙げられる。
ミスト手段としては、例えばノズルが挙げられる。
【００１０】
請求項３に係わる発明は、請求項２に係わる発明において、シール手段が柔らかな材質のカバーであることを特徴とする。
【発明の効果】
【００１１】
本発明によると、鉄筋コンクリート構造物等の切り口はシール手段でシールされるため切削時に発生する粉塵が外部に放出されないようにできること、切削用ケーブルの走行に伴って切削用ケーブルが出る箇所の切り口より放出される粉塵はバキューム手段で吸引除去されること、切削用ケーブルは噴射された液体チッソなどの気化ガスまたはミスト手段から噴霧された冷却水で冷却されるが、冷却水を使用する場合でも、この冷却水は噴霧状態で噴き付けられることから、ヘドロ水が出ないか、ほとんど出ないため、環境に優しく、環境汚染を少なくできること、給水が少量ですみ、水処理を不要にできること、ヘドロ水飛散防止のための養生作業を不要にできること、ヘドロ水によって機器が汚れたり、電気系統の故障などによるトラブルが少なくなること、等の効果を奏する。
【００１２】
また、シール手段に柔らかな材質のカバーを用いるようにすれば、切断が進行して鉄筋コンクリート構造物等の自重により切り口が狭くならないようにするために、切り口に楔を打ち込む場合もカバーを外すことなくカバーを通して楔を打ち込むことができる。
【発明を実施するための最良の形態】
【００１３】
図２は、本発明に係わる切断装置の模式図を示すもので、切削用ケーブルとしてのダイヤモンドワイヤー９が鉄筋コンクリート構造物等１とメインプーリ５とに掛け渡され、ワイヤー出側にはガイドプーリ８ｅがワイヤー入側にはガイドプーリ８ｆがそれぞれ鉄筋コンクリート構造物等１に取外し可能に止着され、ガイドプーリ８ｅに被されるフード１１に図示しないバキュームクリーナがダクト１２を介して接続され、出側の切り口より放出される粉塵をフード１１内に閉じ込めてバキュームクリーナにより吸引回収されるようになっている。
【００１４】
図中、１３はダイヤモンドワイヤー９にガスを噴射または冷却水を噴霧してダイヤモンドワイヤー９を冷却する手段としてのノズルであり、１４は鉄筋コンクリート構造物等１の切り口を覆うシール手段としてのカバーである。図３は、このカバー１４の一例を示すもので、断面凹形状の長尺なスポンジからなり、鉄筋コンクリート構造物等１に両面粘着テープ１５によりダイヤモンドワイヤー９を覆うようにして接着される。
【００１５】
図４は、帯状のスポンジからなるもので、鉄筋コンクリート構造物等１には全体を湾曲させて両面粘着テープ１５によりダイヤモンドワイヤー９を覆うようにして接着される。
【００１６】
図５は、切断が進行して鉄筋コンクリート構造物等１の切り口１６が鉄筋コンクリート構造物等１の自重により狭められないようにするためにカバー１４を通して切り口１６に楔１７を打ち込んだ状態を示すものである。
【図面の簡単な説明】
【００１７】
【図１】従来の切断装置の正面図。
【図２】本発明に係わる切断装置の模式図。
【図３】カバーの一例を示す断面図。
【図４】カバーの別の例を示す断面図。
【図５】切り口に楔を打ち込んだ状態を示す断面図。
【符号の説明】
【００１８】
１・・鉄筋コンクリート構造物等
２・・取付台
３・・ラック
４・・メインポール
５・・メインプーリ
６・・自走台
７・・ガイドバー
８ａ、８ｂ、８ｃ、８ｄ、８ｅ、８ｆ・・ガイドプーリ
９・・ダイヤモンドワイヤー
１１・・フード
１２・・ダクト
１３・・ノズル
１４・・カバー
１５・・両面粘着テープ
１６・・切り口
１７・・楔
【図１】
2005047114.tif 000003
【図２】
2005047114.tif 000004
【図３】
2005047114.tif 000005
【図４】
2005047114.tif 000006
【図５】
2005047114.tif 000007